(57)【特許請求の範囲】
【請求項１】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールまたは前記再送部が再送した再送済み電子メールが送信先で開封された旨を示す開封通知を受信する受信部と
を備え、
前記電子メール格納部は、前記受信部が前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて格納し、
前記電子メール検索部は、前記開封情報が対応付けられていない電子メールを検索すべき旨を前記検索条件として前記検索条件取得部が取得した場合に、前記開封情報が対応付けられていない前記電子メールを前記電子メール格納部から検索することを特徴とするメール配信サーバ。
【請求項２】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールまたは前記再送部が再送した再送済み電子メールが送信先で開封された旨を示す開封通知を受信する受信部と
を備え、
前記電子メール格納部は、前記受信部が前記送信済み電子メール及び再送済み電子メールのうち、いずれかの前記開封通知を受信した場合に、前記開封通知を受信した旨を示す開封情報を前記電子メールに対応付けて格納し、
前記電子メール検索部は、前記開封情報が対応付けられていない電子メールを検索すべき旨を前記検索条件として前記検索条件取得部が取得した場合に、前記受信部が前記送信済み電子メール及び再送済み電子メールの双方の前記開封通知を受信していない前記電子メールを前記電子メール格納部から検索することを特徴とするメール配信サーバ。
【請求項３】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールまたは前記再送部が再送した再送済み電子メールが送信先で開封された旨を示す開封通知を受信する受信部と、
前記送信済み電子メールまたは前記再送済み電子メールが前記ユーザに送信されてから所定の期間が経過したか否かを判断する期間判断部と
を備え、
前記電子メール格納部は、前記受信部が前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて格納し、
前記電子メール検索部は、前記開封情報が対応付けられていない電子メールを検索すべき旨を前記検索条件として前記検索条件取得部が取得した場合に、前記送信済み電子メールまたは前記再送済み電子メールが前記ユーザに送信されてから所定の期間が経過したと前記期間判断部が判断した前記送信済み電子メール及び前記再送済み電子メールのうち、前記開封情報が対応付けられていない前記送信済み電子メール及び前記再送済み電子メールを、前記電子メール格納部から検索することを特徴とするメール配信サーバ。
【請求項４】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールまたは前記再送部が再送した再送済み電子メールが送信先で開封された旨を示す開封通知を受信する受信部と、
前記送信済み電子メールまたは前記再送済み電子メールが前記ユーザに送信されてから所定の期間が経過したか否かを判断する期間判断部と
を備え、
前記電子メール格納部は、前記受信部が前記送信済み電子メール及び再送済み電子メールのうち、いずれかの前記開封通知を受信した場合に、前記開封通知を受信した旨を示す開封情報を前記電子メールに対応付けて格納し、
前記電子メール検索部は、前記開封情報が対応付けられていない電子メールを検索すべき旨を前記検索条件として前記検索条件取得部が取得した場合に、前記送信済み電子メールまたは前記再送済み電子メールが前記ユーザに送信されてから所定の期間が経過したと前記期間判断部が判断した前記送信済み電子メールまたは前記再送済み電子メールのうち、前記受信部が前記送信済み電子メール及び再送済み電子メールの双方の前記開封通知を受信していない前記電子メールを前記電子メール格納部から検索することを特徴とするメール配信サーバ。
【請求項５】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールにファイルが添付されている場合に、電子メールの送信先において前記ファイルのダウンロードが完了した旨を示すダウンロード完了通知を受信する受信部と
を備え、
前記電子メール格納部は、前記受信部が前記ダウンロード完了通知を受信した場合に、前記ダウンロード完了通知を受信した旨を示すダウンロード完了情報を前記送信済み電子メールに対応付けて格納し、
前記電子メール検索部は、前記ダウンロード完了情報が対応付けられていない電子メールを検索すべき旨を前記検索条件として前記検索条件取得部が取得した場合に、前記ダウンロード完了情報が対応付けられていない前記電子メールを前記電子メール格納部から検索することを特徴とするメール配信サーバ。
【請求項６】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールにファイルが添付されている場合に、電子メールの送信先において前記ファイルの開封が完了した旨を示す開封完了通知を受信する受信部と
を備え、
前記電子メール格納部は、前記受信部が前記開封完了通知を受信した場合に、前記開封完了通知を受信した旨を示す開封完了情報を前記送信済み電子メールに対応付けて格納し、
前記電子メール検索部は、前記開封完了情報が対応付けられていない電子メールを検索すべき旨を前記検索条件として前記検索条件取得部が取得した場合に、前記開封完了情報が対応付けられていない前記電子メールを前記電子メール格納部から検索することを特徴とするメール配信サーバ。
【請求項７】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールにファイルが添付されている場合に、電子メールの送信先において前記ファイルの閲覧が完了した旨を示す閲覧完了通知を受信する受信部と
を備え、
前記電子メール格納部は、前記受信部が前記閲覧完了通知を受信した場合に、前記閲覧完了通知を受信した旨を示す閲覧完了情報を前記送信済み電子メールに対応付けて格納し、
前記電子メール検索部は、前記閲覧完了情報が対応付けられていない電子メールを検索すべき旨を前記検索条件として前記検索条件取得部が取得した場合に、前記閲覧完了情報が対応付けられていない前記電子メールを前記電子メール格納部から検索することを特徴とするメール配信サーバ。
【請求項８】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と
を備え、
前記電子メール格納部は、前記電子メールの再送回数を示す回数情報を前記送信済み電子メールに対応付けてさらに格納し、
前記回数情報により特定される前記再送回数が所定の回数に達したか否かを判断する再送回数判断部と、
前記再送回数が所定の回数に達したと前記再送回数判断部が判断した場合に、前記電子メールを再送した前記再送回数が所定の回数に達した旨を示す情報を出力する出力部と
をさらに備えることを特徴とするメール配信サーバ。
【請求項９】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記送信済み電子メールまたは前記再送部が再送した再送済み電子メールが送信先で開封された旨を示す開封通知を受信する受信部と、
前記送信済み電子メールまたは前記再送部が再送した再送済み電子メールを前記送信先に送信してから、前記受信部が前記開封通知を受信するまでの時間を計測する時間計測部と、
前記時間計測部が計測した時間を示す時間情報を過去のユーザ実績として、前記電子メールの送信先毎に格納するユーザデータベースと
を備え、
前記電子メール格納部は、前記受信部が前記開封通知を受信した場合に、前記開封通知を受信した旨を示す開封情報を前記送信済み電子メールに対応付けて格納し、
前記電子メール検索部は、前記開封情報が対応付けられていない電子メールを検索すべき旨を前記検索条件として前記検索条件取得部が取得した場合に、前記ユーザデータベースに格納されている前記時間情報に基づいたタイミングで、前記開封情報が対応付けられていない前記電子メールを前記電子メール格納部から検索することを特徴とするメール配信サーバ。
【請求項１０】
ユーザに電子メールを送信するメール配信サーバであって、
ユーザに送信された送信済み電子メールを格納する電子メール格納部と、
電子メールを検索するための検索条件を取得する検索条件取得部と、
前記検索条件取得部が取得した前記検索条件に基づいて、前記電子メール格納部から前記電子メールを検索する電子メール検索部と、
前記電子メール検索部が検索した前記電子メールを当該ユーザに再送信する再送部と、
前記再送部が前記電子メールを再送した回数に基づく回数情報を前記電子メールの送信先を識別する送信先識別情報毎に格納するユーザデータベースと、
前記回数情報により特定される前記回数が所定の回数以上である前記送信先を識別する送信先識別情報を前記ユーザデータベースから抽出する抽出部と、
前記抽出部が抽出した前記送信先識別情報を出力する出力部と
を備えることを特徴とするメール配信サーバ。
【請求項１１】
ユーザに送信した電子メールを再送信するメール配信システムであって、
前記ユーザに電子メールを再送するメール配信サーバと、
前記電子メールを受信する前記ユーザのユーザ端末とを備え、
前記ユーザ端末は、前記メール配信サーバから受信した前記電子メールを開封した場合に、前記電子メールを開封した旨を示す開封通知を前記メール配信サーバに送信する開封通知送信手段を有し、
前記メール配信サーバは、
前記ユーザ端末から前記開封通知を受信する受信部と、
前記受信部が前記開封通知を受信した場合に、前記開封通知を受信した旨を示す開封情報を前記ユーザに送信された送信済み電子メールに対応付けて格納する電子メール格納部と、
前記開封情報が対応付けられていない電子メールを前記電子メール格納部から検索する電子メール検索部と、
前記電子メール検索部が検索した前記電子メールを当該ユーザに再送信する再送部と
を有することを特徴とするメール配信システム。
【請求項１２】
メール配信サーバがユーザに電子メールを送信するメール配信方法であって、
前記メール配信サーバは、
ユーザに送信された送信済み電子メールを電子メール格納部に格納し、
電子メールを検索するための検索条件を取得し、
取得した前記検索条件に基づいて、前記電子メール格納部から前記電子メールを検索し、
検索した前記電子メールを当該ユーザに再送信し、
前記送信済み電子メールまたは再送済み電子メールが送信先で開封された旨を示す開封通知を受信し、
前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて前記電子メール格納部に格納し、
前記開封情報が対応付けられていない電子メールを検索すべき旨を前記検索条件として取得した場合に、前記開封情報が対応付けられていない前記電子メールを前記電子メール格納部から検索する
ことを特徴とするメール配信方法。
【請求項１３】
ユーザに電子メールを送信するコンピュータ用のプログラムであって、前記コンピュータに、
ユーザに送信された送信済み電子メールを格納する電子メール格納部としての格納機能、
電子メールを検索するための検索条件を取得する検索条件取得機能、
前記検索条件取得機能が取得した前記検索条件に基づいて、前記電子メール格納部から前記電子メールを検索する電子メール検索機能、
前記電子メール検索機能が検索した前記電子メールを当該ユーザに再送信する再送機能、および、
前記送信済み電子メールまたは前記再送機能が再送した再送済み電子メールが送信先で開封された旨を示す開封通知を受信する受信機能を実行させ、
前記格納機能は、前記受信機能が前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて前記電子メール格納部に格納し、
前記電子メール検索機能は、前記開封情報が対応付けられていない電子メールを検索すべき旨を前記検索条件として前記検索条件取得部が取得した場合に、前記開封情報が対応付けられていない前記電子メールを前記電子メール格納部から検索する
ことを特徴とするプログラム。
【請求項１４】
コンピュータを請求項１から１０のいずれかの請求項に記載のメール配信サーバとして機能させるためのプログラム。
【発明の詳細な説明】
【０００１】
【発明の属する技術分野】
本発明は、メール配信サーバ、メール配信システム、メール配信方法、及びプログラムに関する。特に本発明は、ユーザに送信した電子メールをさらに再送信するメール配信サーバ、メール配信システム、メール配信方法、及びプログラムに関する。
【０００２】
【従来の技術】
従来、既に送信した電子メールのうち、再送信が要求される電子メールを再送信するためには、１通ずつ電子メールを検索し、送信処理を行っていた。
【０００３】
【発明が解決しようとする課題】
このように１通ずつ送信処理を行うと、電子メールの送信量が多いメール配信者は、送信処理に時間がかかる。
【０００４】
そこで本発明は、上記の課題を解決することのできるメール配信サーバ、メール配信システム、メール配信方法、及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、ユーザに電子メールを送信するメール配信サーバであって、ユーザに送信された送信済み電子メールを格納する電子メール格納部と、電子メールを検索するための検索条件を取得する検索条件取得部と、検索条件取得部が取得した検索条件に基づいて、電子メール格納部から電子メールを検索する電子メール検索部と、電子メール検索部が検索した電子メールを当該ユーザに再送信する再送部と、送信済み電子メールまたは再送部が再送した再送済み電子メールが送信先で開封された旨を示す開封通知を受信する受信部とを備え、電子メール格納部は、受信部が送信済み電子メール及び再送済み電子メールのうち、いずれかの開封通知を受信した場合に、開封通知を受信した旨を示す開封情報を送信済み電子メール及び再送済み電子メールに対応付けて格納し、電子メール検索部は、開封情報が対応付けられていない電子メールを検索すべき旨を検索条件として検索条件取得部が取得した場合に、開封情報が対応付けられていない電子メールを電子メール格納部から検索する。
【０００６】
本発明の第２の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールまたは前記再送部が再送した再送済み電子メールが送信先で開封された旨を示す開封通知を受信する受信部とを備え、前記電子メール格納部は、前記受信部が前記送信済み電子メール及び再送済み電子メールのうち、いずれかの前記開封通知を受信した場合に、前記開封通知を受信した旨を示す開封情報を前記電子メールに対応付けて格納し、前記電子メール検索部は、前記開封情報が対応付けられていない電子メールを検索すべき旨を前記検索条件として前記検索条件取得部が取得した場合に、前記受信部が前記送信済み電子メール及び再送済み電子メールの双方の前記開封通知を受信していない前記電子メールを前記電子メール格納部から検索する。
【０００７】
本発明の第３の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールまたは前記再送部が再送した再送済み電子メールが送信先で開封された旨を示す開封通知を受信する受信部と、前記送信済み電子メールまたは前記再送済み電子メールが前記ユーザに送信されてから所定の期間が経過したか否かを判断する期間判断部とを備え、前記電子メール格納部は、前記受信部が前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて格納し、前記電子メール検索部は、前記開封情報が対応付けられていない電子メールを検索すべき旨を前記検索条件として前記検索条件取得部が取得した場合に、前記送信済み電子メールまたは前記再送済み電子メールが前記ユーザに送信されてから所定の期間が経過したと前記期間判断部が判断した前記送信済み電子メール及び前記再送済み電子メールのうち、前記開封情報が対応付けられていない前記送信済み電子メール及び前記再送済み電子メールを、前記電子メール格納部から検索する。
【０００８】
本発明の第４の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールまたは前記再送部が再送した再送済み電子メールが送信先で開封された旨を示す開封通知を受信する受信部と、前記送信済み電子メールまたは前記再送済み電子メールが前記ユーザに送信されてから所定の期間が経過したか否かを判断する期間判断部とを備え、前記電子メール格納部は、前記受信部が前記送信済み電子メール及び再送済み電子メールのうち、いずれかの前記開封通知を受信した場合に、前記開封通知を受信した旨を示す開封情報を前記電子メールに対応付けて格納し、前記電子メール検索部は、前記開封情報が対応付けられていない電子メールを検索すべき旨を前記検索条件として前記検索条件取得部が取得した場合に、前記送信済み電子メールまたは前記再送済み電子メールが前記ユーザに送信されてから所定の期間が経過したと前記期間判断部が判断した前記送信済み電子メールまたは前記再送済み電子メールのうち、前記受信部が前記送信済み電子メール及び再送済み電子メールの双方の前記開封通知を受信していない前記電子メールを前記電子メール格納部から検索する。
【０００９】
本発明の第５の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールにファイルが添付されている場合に、電子メールの送信先において前記ファイルのダウンロードが完了した旨を示すダウンロード完了通知を受信する受信部とを備え、前記電子メール格納部は、前記受信部が前記ダウンロード完了通知を受信した場合に、前記ダウンロード完了通知を受信した旨を示すダウンロード完了情報を前記送信済み電子メールに対応付けて格納し、前記電子メール検索部は、前記ダウンロード完了情報が対応付けられていない電子メールを検索すべき旨を前記検索条件として前記検索条件取得部が取得した場合に、前記ダウンロード完了情報が対応付けられていない前記電子メールを前記電子メール格納部から検索する。
【００１０】
本発明の第６の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールにファイルが添付されている場合に、電子メールの送信先において前記ファイルの開封が完了した旨を示す開封完了通知を受信する受信部とを備え、前記電子メール格納部は、前記受信部が前記開封完了通知を受信した場合に、前記開封完了通知を受信した旨を示す開封完了情報を前記送信済み電子メールに対応付けて格納し、前記電子メール検索部は、前記開封完了情報が対応付けられていない電子メールを検索すべき旨を前記検索条件として前記検索条件取得部が取得した場合に、前記開封完了情報が対応付けられていない前記電子メールを前記電子メール格納部から検索する。
【００１１】
本発明の第７の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールにファイルが添付されている場合に、電子メールの送信先において前記ファイルの閲覧が完了した旨を示す閲覧完了通知を受信する受信部とを備え、前記電子メール格納部は、前記受信部が前記閲覧完了通知を受信した場合に、前記閲覧完了通知を受信した旨を示す閲覧完了情報を前記送信済み電子メールに対応付けて格納し、前記電子メール検索部は、前記閲覧完了情報が対応付けられていない電子メールを検索すべき旨を前記検索条件として前記検索条件取得部が取得した場合に、前記閲覧完了情報が対応付けられていない前記電子メールを前記電子メール格納部から検索する。
【００１２】
本発明の第８の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部とを備え、前記電子メール格納部は、前記電子メールの再送回数を示す回数情報を前記送信済み電子メールに対応付けてさらに格納し、前記回数情報により特定される前記再送回数が所定の回数に達したか否かを判断する再送回数判断部と、前記再送回数が所定の回数に達したと前記再送回数判断部が判断した場合に、前記電子メールを再送した前記再送回数が所定の回数に達した旨を示す情報を出力する出力部とをさらに備える。
【００１３】
本発明の第９の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記送信済み電子メールまたは前記再送部が再送した再送済み電子メールが送信先で開封された旨を示す開封通知を受信する受信部と、前記送信済み電子メールまたは前記再送部が再送した再送済み電子メールを前記送信先に送信してから、前記受信部が前記開封通知を受信するまでの時間を計測する時間計測部と、前記時間計測部が計測した時間を示す時間情報を過去のユーザ実績として、前記電子メールの送信先毎に格納するユーザデータベースとを備え、前記電子メール格納部は、前記受信部が前記開封通知を受信した場合に、前記開封通知を受信した旨を示す開封情報を前記送信済み電子メールに対応付けて格納し、前記電子メール検索部は、前記開封情報が対応付けられていない電子メールを検索すべき旨を前記検索条件として前記検索条件取得部が取得した場合に、前記ユーザデータベースに格納されている前記時間情報に基づいたタイミングで、前記開封情報が対応付けられていない前記電子メールを前記電子メール格納部から検索する。
【００１４】
本発明の第１０の形態によると、ユーザにメールを送信するメール配信サーバであって、ユーザに送信された送信済み電子メールを格納する電子メール格納部と、電子メールを検索するための検索条件を取得する検索条件取得部と、前記検索条件取得部が取得した前記検索条件に基づいて、前記電子メール格納部から前記電子メールを検索する電子メール検索部と、前記電子メール検索部が検索した前記電子メールを当該ユーザに再送信する再送部と、前記再送部が前記電子メールを再送した回数に基づく回数情報を前記電子メールの送信先を識別する送信先識別情報毎に格納するユーザデータベースと、前記回数情報により特定される前記回数が所定の回数以上である前記送信先を識別する送信先識別情報を前記ユーザデータベースから抽出する抽出部と、前記抽出部が抽出した前記送信先識別情報を出力する出力部とを備える。
【００１５】
本発明の第１１の形態によると、ユーザに送信した電子メールを再送信するメール配信システムであって、前記ユーザに電子メールを再送するメール配信サーバと、前記電子メールを受信する前記ユーザのユーザ端末とを備え、前記ユーザ端末は、前記メール配信サーバから受信した前記電子メールを開封した場合に、前記電子メールを開封した旨を示す開封通知を前記メール配信サーバに送信する開封通知送信手段を有し、前記メール配信サーバは、前記ユーザ端末から前記開封通知を受信する受信部と、前記受信部が前記開封通知を受信した場合に、前記開封通知を受信した旨を示す開封情報を前記ユーザに送信された送信済み電子メールに対応付けて格納する電子メール格納部と、前記開封情報が対応付けられていない電子メールを前記電子メール格納部から検索する電子メール検索部と、前記電子メール検索部が検索した前記電子メールを当該ユーザに再送信する再送部とを有する。
【００１６】
本発明の第１２の形態によると、メール配信サーバがユーザに電子メールを送信するメール配信方法であって、前記メール配信サーバは、ユーザに送信された送信済み電子メールを電子メール格納部に格納し、電子メールを検索するための検索条件を取得し、取得した前記検索条件に基づいて、前記電子メール格納部から前記電子メールを検索し、検索した前記電子メールを当該ユーザに再送信し、前記送信済み電子メールまたは再送済み電子メールが送信先で開封された旨を示す開封通知を受信し、前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて前記電子メール格納部に格納し、前記開封情報が対応付けられていない電子メールを検索すべき旨を前記検索条件として取得した場合に、前記開封情報が対応付けられていない前記電子メールを前記電子メール格納部から検索する。
【００１７】
本発明の第１３の形態によると、ユーザに電子メールを送信するコンピュータ用のプログラムであって、前記コンピュータに、ユーザに送信された送信済み電子メールを格納する電子メール格納部としての格納機能、電子メールを検索するための検索条件を取得する検索条件取得機能、前記検索条件取得機能が取得した前記検索条件に基づいて、前記電子メール格納部から前記電子メールを検索する電子メール検索機能、前記電子メール検索機能が検索した前記電子メールを当該ユーザに再送信する再送機能、および、前記送信済み電子メールまたは前記再送機能が再送した再送済み電子メールが送信先で開封された旨を示す開封通知を受信する受信機能を実行させ、前記格納機能は、前記受信機能が前記送信済み電子メール及び再送済み電子メールのうち、いずれかの前記開封通知を受信した場合に、前記開封通知を受信した旨を示す開封情報を前記送信済み電子メール及び前記再送済み電子メールに対応付けて前記電子メール格納部に格納し、前記電子メール検索機能は、前記開封情報が対応付けられていない電子メールを検索すべき旨を前記検索条件として前記検索条件取得部が取得した場合に、前記開封情報が対応付けられていない前記電子メールを前記電子メール格納部から検索する。
【００１８】
本発明の第１４の形態によると、コンピュータを上記第１から第１０のいずれかの形態のメール配信サーバとして機能させるためのプログラムである。
【００１９】
なお上記の発明の概要は、本発明の必要な特徴の全てを列挙したものではなく、これらの特徴群のサブコンビネーションも又発明となりうる。
【００２０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２１】
図１は、本実施の形態にかかるメール配信システムの概略を示す。本メール配信システムは、ユーザに送信した電子メールの中から、所定の条件に基づいて検索した電子メールをユーザ端末に再送信するシステムである。本実施の形態にかかるメール配信システムは、メール配信サーバ２０と、ネットワーク１０と、ユーザ端末３０とを備える。ネットワーク１０は、インターネット、ＰＳＴＮ（公衆交換電話網）、ＬＡＮ、ＷＡＮ等を含む。
【００２２】
メール配信サーバ２０は、送信を要求された電子メールをユーザ端末３０にネットワーク１０を介して送信する。ユーザ端末３０は、メール配信サーバ２０から受信した電子メールを開封すると、電子メールを開封した旨を示す開封通知をメール配信サーバ２０にネットワーク１０を介して送信する。メール配信サーバ２０は、開封通知をユーザ端末３０から受信すると、開封通知を受信した旨を示す開封情報を電子メールに対応づけてデータベースに格納する。メール配信サーバ２０は、電子メールを、所定の条件に基づいてデータベースから検索し、ユーザ端末３０に再送する。
【００２３】
図２は、メール配信サーバ２０の機能構成を示すブロック図である。メール配信サーバ２０は、電子メール取得部２００と、送信部２０２と、受信部２０４と、タイミング判断部２０６と、期間判断部２０７と、検索条件取得部２０８と、電子メール検索部２１０と、再送部２１２と、出力部２１４と、抽出部２１６と、再送回数判断部２１８と、時間計測部２２０と、検索条件格納部２３０と、電子メールデータベース２３２と、ユーザデータベース２３８とを有する。
【００２４】
検索条件格納部２３０は、ユーザ端末３０に再送すべき電子メールの検索条件を格納する。電子メール格納部の一例としての電子メールデータベース２３２は、検索ファイル２３４及びメールファイル２３６を含む。検索ファイル２３４は、ユーザ端末３０に送信された電子メールの宛先アドレス等のヘッダ情報、及び送信された電子メールに添付されている添付ファイルに関する情報を格納する。メールファイル２３６は、ユーザ端末３０に送信された電子メールを格納する。ユーザデータベース２３８は、ユーザ端末３０に電子メールを再送した再送回数と、電子メール配信サーバ２０が電子メールを送信してから、開封通知を受信するまでの平均時間とを格納する。
【００２５】
電子メール取得部２００は、電子メールの送信を要求する送信要求情報と送信を要求する電子メールとを取得し、取得した電子メールを送信部２０２に送る。送信部２０２は、受け取った電子メールをユーザ端末３０に送信する。また送信部２０２は、電子メール取得部２００から受け取った電子メールを、電子メールを送信した送信時刻と電子メールを識別するジョブナンバーと共に電子メールデータベース２３２に格納する。
【００２６】
受信部２０４は、ユーザ端末３０に送信された電子メールが開封された旨を示す開封通知を受信する。また受信部２０４は、ユーザ端末３０に送信された送信済み電子メールにファイルが添付されている場合に、ユーザ端末３０においてファイルのダウンロードが完了した旨を示すダウンロード完了通知を受信する。また受信部２０４は、送信済み電子メールにファイルが添付されている場合に、ユーザ端末３０においてファイルの開封が完了した旨を示す開封完了通知を受信する。また受信部２０４は、送信済み電子メールにファイルが添付されている場合に、ユーザ端末３０においてファイルの閲覧が完了した旨を示す閲覧完了通知を受信する。次に受信部２０４は、受信した開封通知、ダウンロード完了通知、開封完了通知、及び閲覧完了通知を電子メールデータベース２３２に格納する。
【００２７】
また受信部２０４は、開封通知を時間計測部２２０に送る。時間計測部２２０は、開封通知を受け取ると、電子メールが送信された送信時刻を検索ファイル２３４から抽出し、送信時刻から電子メールが開封されるまでの時間を計測する。また時間計測部２２０は、計測した時間とユーザデータベースに既に格納されている平均時間とを用いて新たな平均時間を計算し、ユーザデータベース２３８に格納する。
【００２８】
タイミング判断部２０６は、一定時間毎に一定時間が経過した旨を示すタイミング情報を期間判断部２０７に送る。期間判断部２０７は、タイミング情報を受け取ると、送信時刻から所定の時間が経過した電子メールのジョブナンバーを検索ファイル２３４から抽出し、電子メール検索部２１０に送る。また期間判断部２０７は、受け取ったタイミング情報を検索条件取得部２０８に送る。検索条件取得部２０８は、タイミング情報を受け取ると、検索条件格納部２３０から検索条件を読み出し、電子メール検索部２１０に送る。
【００２９】
電子メール検索部２１０は、期間判断部２０７から受け取ったジョブナンバーに対応する電子メールの中から、検索条件取得部２０８から受け取った検索条件に従い、検索ファイル２３４及びユーザデータベース２３８に格納されている情報に基づいて、電子メールを検索し、検索した電子メールのジョブナンバーを検索ファイル２３４から抽出し、再送部２１２に送る。
【００３０】
再送部２１２は、電子メール検索部２１０から受け取ったジョブナンバーに対応づけて格納されている電子メールをメールファイル２３６から抽出し、ユーザ端末３０に再送する。また再送部２１２は、再送した電子メールの宛先の電子メールアドレスを示す宛先アドレスに対応づけて電子メールの再送回数をユーザデータベース２３８に格納する。
【００３１】
抽出部２１６は、ユーザデータベース２３８に格納されている再送回数が所定の回数以上である電子メールの宛先を示す宛先アドレスを抽出し、出力部２１４に送る。出力部２１４は、抽出部２１６から受け取った宛先アドレスを出力する。再送回数判断部２１８は、回数情報により特定される再送回数が所定の回数に達した電子メールのジョブナンバーを検索ファイル２３４から抽出し、出力部２１４に送る。出力部２１４は、再送回数判断部２１８から受け取ったジョブナンバーと、ジョブナンバーにより特定される電子メールを再送した再送回数が所定の回数に達した旨を示す情報を出力する。
【００３２】
図３は、検索ファイル２３４のデータフォーマットの一例を示す。検索ファイル２３４は、ジョブナンバーフィールドと、宛先アドレスフィールドと、送信元アドレスフィールドと、タイトルフィールドと、送信時刻フィールドと、開封フィールド（第１の開封フィールド）と、ファイルフィールドと、ダウンロードフィールドと、閲覧フィールドと、ファイル開封フィールド（第２の開封フィールド）と、再送回数フィールドとを含む。
【００３３】
ジョブナンバーフィールドは、電子メールを識別するジョブナンバーを格納する。宛先アドレスフィールドは、電子メールの宛先の電子メールアドレスである宛先アドレスを格納する。送信元アドレスフィールドは、電子メールの送信元の電子メールアドレスである送信元アドレスを格納する。タイトルフィールドは、電子メールの題名を示すタイトル情報を格納する。送信時刻フィールドは、電子メールの送信時刻を格納する。開封フィールド（第１の開封フィールド）は、電子メール（の本体）がユーザ端末３０において開封されたか否かを示す情報を格納する。尚、この開封フィールドは、電子メールの開封日時を格納してもよい。
【００３４】
ファイルフィールドは、電子メールにファイルが添付されているか否かを示す情報を格納する。尚、ファイルフィールドは、電子メールの添付ファイル数を格納してもよい。ダウンロードフィールドは、電子メールに添付されているファイルのダウンロードがユーザ端末３０において完了しているか否かを示す情報を格納する。閲覧フィールドは、電子メールに添付されているファイルの閲覧がユーザ端末３０において完了しているか否かを示す情報を格納する。ファイル開封フィールドは、電子メールに添付されているファイルの開封がユーザ端末３０において完了しているか否かを示す情報を格納する。再送回数フィールドは、電子メールを再送した再送回数を示す情報を格納する。
【００３５】
ここでダウンロードフィールドは、電子メールにファイルが添付されている場合、かつ添付されているファイルがダウンロードすべきファイルである場合に、ファイルのダウンロードが完了しているか否かを示す情報を格納する。ダウンロードフィールドは、受信部２０４がダウンロード完了通知を受信すると、ダウンロードが完了した旨を示す情報を格納する。尚、ダウンロードファイルは、ダウンロードの完了日時を格納してもよい。
【００３６】
また閲覧フィールドは、電子メールにファイルが添付されている場合、かつ添付されているファイルが閲覧すべきファイルである場合に、ファイルの閲覧が完了しているか否かを示す情報を格納する。閲覧フィールドは、受信部２０４が閲覧完了通知を受信すると、閲覧が完了した旨を示す情報を格納する。尚、閲覧フィールドは、ファイルに対応して当該ファイルの閲覧日時を格納してもよい。
【００３７】
さらにファイル開封フィールド（第２の開封フィールド）は、電子メールにファイルが添付されている場合に、ファイルの開封が完了しているか否かを示す情報を格納する。ファイル開封フィールドは、受信部２０４が開封完了通知を受信すると、ファイルの開封が完了した旨を示す情報を格納する。尚、この開封フィールドは、ファイルに対応して当該ファイルの開封日時を格納してもよい。
【００３８】
ここでジョブナンバーは、送信部２０２が電子メールデータベース２３２に格納する段階で電子メール毎に付与される。本実施の形態において再送部が再送する電子メールには、送信部２０２が電子メールデータベース２３２に格納する段階で電子メールに付与されたジョブナンバーと同一のジョブナンバーが付与される。従ってファイル開封フィールドは、送信部２０２がユーザ端末３０に送信した電子メール及び再送部２１２が再送した電子メールのうち、少なくとも１通の電子メールが開封されると電子メールが開封された旨を示す情報を格納する。
【００３９】
図４は、メールファイル２３６のデータフォーマットの一例を示す。メールファイル２３６は、ジョブナンバーフィールドと、電子メールフィールドとを含む。ジョブナンバーフィールドは、電子メールを識別するジョブナンバーを格納する。電子メールフィールドは、ジョブナンバーにより識別される電子メールを格納する。尚、メールファイル２３６は、電子メールに対応して当該電子メールの付随情報（例えば、タイトル、ファイル名、送信日時等）を格納するフィールドを含む構成としてもよい。
【００４０】
図５は、ユーザデータベース２３８のデータフォーマットの一例を示す。ユーザデータベース２３８は、宛先アドレスフィールドと、再送回数フィールドと、平均時間フィールドとを含む。宛先アドレスフィールドは、ユーザ端末３０の電子メールアドレスを示す宛先アドレスを格納する。再送回数フィールドは、ユーザ端末３０に電子メールを再送した再送回数を格納する。平均時間フィールドは、メール配信サーバ２０がユーザ端末３０に電子メールを送信してから、開封通知を受信するまでの平均時間を格納する。
【００４１】
このようにユーザデータベース２３８が、ユーザ端末３０が電子メールを開封するまでの平均時間を格納することによって、メール配信サーバ２０は、ユーザ端末３０が電子メールを受信してから開封するまでの平均時間に基づいて電子メールを再送することができる。電子メールを受信してから平均時間より長い時間が経過しても、ユーザ端末３０が電子メールを開封しない場合に、再送部２１２は、電子メールを再送することができる。
【００４２】
またユーザデータベース２３８が、ユーザ端末３０に対する再送回数を格納することによって、再送回数が所定の回数に達した場合に、対応するユーザ端末３０の電子メールアドレスを出力し、メール配信サーバ２０のオペレータに通知することができる。ここでユーザデータベース２３８は、宛先アドレスを格納しているが、これに代えて他の例としては、ユーザを識別するユーザＩＤでもよい。
【００４３】
図６は、電子メールを再送する際のメール配信サーバ２０の動作を示すフローチャートである。タイミング判断部２０６は、所定のタイミングであるか否かを判断する（Ｓ１００）。所定のタイミングであるとタイミング判断部２０６が判断した場合に、期間判断部２０７は、送信時刻から所定期間経過した電子メールのジョブナンバーを検索ファイル２３４から抽出する（Ｓ１０２）。検索条件取得部２０８は、検索条件格納部２３０から検索条件を取得する（Ｓ１０４）。次に電子メール検索部２１０は、期間判断部２０７が抽出した電子メールのジョブナンバーと、検索条件取得部２０８が取得した検索条件に基づいて検索ファイル２３４から電子メールのジョブナンバーを検索する（Ｓ１０６）。再送部２１２は、電子メール検索部２１０が検索したジョブナンバーにより識別される電子メールを、メールファイル２３６から抽出し、ユーザ端末３０に再送する（Ｓ１０８）。また再送部２１２は、電子メールを再送した再送回数をユーザデータベース２３８、及び検索ファイル２３４に格納する（Ｓ１１０）。
【００４４】
次にＳ１０６における電子メール検索部２１０の詳細な動作について説明する。電子メール検索部２１０は、電子メールが開封された旨を示す開封情報が対応付けられていない電子メールを検索すべき旨を示す検索条件を検索条件取得部２０８が取得した場合に、検索ファイル２３４の開封フィールドに未開封の情報が格納されている電子メールを検索する。
【００４５】
また電子メール検索部２１０は、電子メールに添付されているファイルが開封された旨を示す開封完了情報が対応付けられていない電子メールを検索すべき旨を示す検索条件を検索条件取得部２０８が取得した場合に、検索ファイル２３４のファイル開封フィールドに未開封の情報が格納されている電子メールを検索する。
【００４６】
また電子メール検索部２１０は、電子メールに添付されているファイルがダウンロードされた旨を示すダウンロード完了情報が対応付けられていない電子メールを検索すべき旨を示す検索条件を検索条件取得部２０８が取得した場合に、検索ファイル２３４のダウンロードフィールドに未完了の情報が格納されている電子メールを検索する。
【００４７】
また電子メール検索部２１０は、電子メールに添付されているファイルが閲覧された旨を示す閲覧完了情報が対応付けられていない電子メールを検索すべき旨を示す検索条件を検索条件取得部２０８が取得した場合に、検索ファイル２３４の閲覧フィールドに未完了の情報が格納されている電子メールを検索する。
【００４８】
また電子メール検索部２１０は、開封情報による電子メールの検索の他、ジョブナンバー、宛先アドレス、送信元アドレス、タイトル、送信時刻、添付ファイルの有無等の検索ファイル２３４に格納されている任意の検索条件に従って再送すべき電子メールを検索することができる。
【００４９】
図７は、メール配信サーバ２０のハードウェア構成を示すブロック図である。メール配信サーバ２０は、ＣＰＵ７００と、ＲＯＭ７０２と、ＲＡＭ７０４と、通信インターフェース７０６とを備える。ＣＰＵ７００は、ＲＯＭ７０２及びＲＡＭ７０４に格納されたプログラムに基づいて動作する。通信インターフェース７０６は、ネットワーク１０を介して外部と通信する。格納装置の一例としてのハードディスクドライブ７１０は、設定情報及びＣＰＵ７００が動作するプログラムを格納する。
【００５０】
フロッピー（登録商標）ディスクドライブ７１２はフロッピー（登録商標）ディスク７１４からデータまたはプログラムを読み取りＣＰＵ７００に提供する。ＣＤ−ＲＯＭドライブ７１６はＣＤ−ＲＯＭ７１８からデータまたはプログラムを読み取りＣＰＵ７００に提供する。通信インターフェース７０６は、ネットワーク１０に接続してデータを送受信する。
【００５１】
ＣＰＵ７００が実行するソフトウエアは、フロッピー（登録商標）ディスク７１４またはＣＤ−ＲＯＭ７１８等の記録媒体に格納されて利用者に提供される。記録媒体に格納されたソフトウエアは圧縮されていても非圧縮であっても良い。ソフトウエアは記録媒体からハードディスクドライブ７１０にインストールされ、ＲＡＭ７０４に読み出されてＣＰＵ７００により実行される。
【００５２】
記録媒体に格納されて提供されるソフトウエア、即ちハードディスクドライブ７１０にインストールされるソフトウェアは、機能構成として、受信モジュール、電子メール取得モジュール、送信モジュール、タイミング判断モジュール、期間判断モジュール、検索条件取得モジュール、電子メール検索モジュール、再送モジュール、出力モジュール、再送回数判断モジュール、及び抽出モジュールを備える。これらの各モジュールがコンピュータに働きかけて、ＣＰＵ７００に行わせる処理は、それぞれ本実施の形態におけるメール配信サーバ２０における、対応する部材の機能及び動作と同一であるから説明を省略する。
【００５３】
図７に示した、記録媒体の一例としてのフロッピー（登録商標）ディスク７１４またはＣＤ−ＲＯＭ７１８には、本出願で説明する全ての実施形態におけるメール配信サーバ２０の動作の一部または全ての機能を格納することができる。
【００５４】
これらのプログラムは記録媒体から直接ＲＡＭに読み出されて実行されても、一旦ハードディスクドライブにインストールされた後にＲＡＭに読み出されて実行されてもよい。更に、上記プログラムは単一の記録媒体に格納されても複数の記録媒体に格納されてもよい。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【００５５】
記録媒体としては、フロッピー（登録商標）ディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用し、通信網を介してプログラムをメール配信サーバ２０に提供してもよい。
【００５６】
このような記録媒体は、メール配信サーバ２０を製造するためのみに使用されるものであり、そのような記録媒体の業としての製造および販売等が本出願に基づく特許権の侵害を構成することは明らかである。
【００５７】
以上、本発明を実施の形態を用いて説明したが、本発明の技術的範囲は上記実施の形態に記載の範囲には限定されない。上記実施の形態に、多様な変更又は改良を加えることができる。例えば、本実施の形態に係るメール配信サーバ２０は、検索条件を予め設定し、格納しているが、これに換えて他の例としては、メール配信サーバのオペレータが検索条件を入力してもよい。その様な変更又は改良を加えた形態も本発明の技術的範囲に含まれ得ることが、特許請求の範囲の記載から明らかである。
【００５８】
【発明の効果】
上記説明から明らかなように、本発明によればユーザに送信した電子メールを省労力で再送信することができる。
【図面の簡単な説明】
【図１】メール配信システムの概略を示す図である。
【図２】メール配信サーバ２０の機能構成を示すブロック図である。
【図３】検索ファイル２３４のデータフォーマットの一例を示す図である。
【図４】メールファイル２３６のデータフォーマットの一例を示す図である。
【図５】ユーザデータベース２３８のデータフォーマットの一例を示す図である。
【図６】電子メールを再送する際のメール配信サーバ２０の動作を示すフローチャートである。
【図７】メール配信サーバ２０のハードウェア構成を示すブロック図である。
【符号の説明】
１０  ネットワーク
２０  メール配信サーバ
３０  ユーザ端末
２００  電子メール取得部
２０２  送信部
２０４  受信部
２０６  タイミング判断部
２０７  期間判断部
２０８  検索条件取得部
２１０  電子メール検索部
２１２  再送部
２１４  出力部
２１６  抽出部
２１８  再送回数判断部
２２０  時間計測部
２３０  検索条件格納部
２３２  電子メールデータベース
２３４  検索ファイル
２３６  メールファイル
２３８  ユーザデータベース
【図１】
0003621656.tif 000002
【図２】
0003621656.tif 000003
【図３】
0003621656.tif 000004
【図４】
0003621656.tif 000005
【図５】
0003621656.tif 000006
【図６】
0003621656.tif 000007
【図７】
0003621656.tif 000008